(57)【要約】      （修正有）【課題】酸素等の気体・香り・臭い、あるいは、太陽光によって水が変質してしまうことを防止して賞味期限５〜１０年を保証し安心して備蓄ができる備蓄用飲料水を充填したペットボトルを提供する。【解決手段】パウチＰで備蓄用飲料水Ｗを充填したペットボトルＰＢを包装する。パウチは、アルミ箔をサンドしているアルミパウチであって、形態は三方袋、背貼袋、又は、自立袋であることが好ましい。【選択図】図１
0003195810.tif 000002
【実用新案登録請求の範囲】
【請求項１】
パウチ（Ｐ）で包装してなることを特徴とする備蓄用飲料水（Ｗ）を充填したペットボトル。
【請求項２】
前記アルミパウチ（Ｐ）は、アルミ箔をサンドしているものであって、アルミパウチ（Ｐ）の形態は三方袋、背貼袋、又は、自立袋であることを特徴とする請求項１に記載された備蓄用飲料水（Ｗ）を充填したペットボトル。
【請求項３】
ペットボトル（ＰＢ）の包装形態が、真空包装、窒素ガス置換包装、又は、窒素ガス置換ピロー包装であることを特徴とする請求項１〜２の何れかに記載された備蓄用飲料水（Ｗ）を充填したペットボトル。
【考案の詳細な説明】
【技術分野】
【０００１】
本考案は、備蓄用飲料水（Ｗ）を充填したペットボトルに関する。
【背景技術】
【０００２】
今日、無菌化された水が充填されているペットボトルを常温で長期に保存するための技術の出現が待望されている。
例えば、地震、台風、津波、渇水等の災害時や新型ウイルス対策時等の緊急時に何よりも必要になるのが飲料水である。
例えば、備蓄用飲料水としては、長期の保存に耐えかつ携帯に便利なことが求められ、従来からペットボトルに飲料水が入れられたものがある。
通常、このようなペットボトルに入れられた飲料水の賞味期限は一般的には常温で１年程度である。
しかし、製造者によっては、賞味期限２〜５年と表示して販売しているケースもある。
スパウト付ガゼットアルミパウチを使用した備蓄飲料水があるが、この欠点は、スパウト及びキャップの材質は、ＰＥ（ポリエチレン）であるために完全に容器の気体透過性がゼロであることを保証するものではない。
しかしながら、上記従来からある飲料水入りペットボトルの場合には、次のような問題点がある。
ペットボトルの容器部の材質はＰＥＴ（ポリエチレンテレフタレート、酸素透過率は９５〜１３０ｍｌ／ｍ２・２４ｈｒ・ａｔｍ）で、ペットボトルのキャップ部の材質はＰＥ（酸素透過率は２  ９  ０  ０ｍｌ／ｍ２・２４ｈｒ  ・ａｔｍ）であるために、備蓄中に酸素・香り・臭い等の気体がペットボトル内に侵入して水が変質するおそれがあり、かつ、ペットボトルの容器部は遮光性を有していないために、保管場所によっては太陽光・紫外線があたり水が変質するおそれがあり、酸素等の気体や香り・臭いがペットボトル内に移り、常温で２〜５年という賞味期限を確保できないおそれがある。
【０００３】
本考案は、このような点に鑑み鋭意検討してなされたもので、酸素等の気体・香り・臭いや太陽光の光によって水が変質してしまうことを完全に防止し賞味期限５〜１０年を保証し安心して備蓄ができるような水を提供することを目的とするものである。
【先行技術文献】
【特許文献】
【０００４】
本願考案に係る備蓄用飲料水を充填したペットボトルについて、ＦＩ、キーワード検索を行ったところ、本件考案（パウチ（Ｐ）で包装してなることを特徴とする備蓄用飲料水（Ｗ）を充填したペットボトルに近い考案等記載文献は、発見されませんでしたので、特許文献の記載は省略する。
【考案の概要】
【考案が解決しようとする課題】
【０００５】
本考案が解決しようとする課題は、酸素等の気体・香り・臭い、あるいは、太陽光によって水が変質してしまうことを防止して賞味期限５〜１０年を保証し安心して備蓄ができる備蓄用飲料水を充填したペットボトルを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○パウチ（Ｐ）とは、レトルトパウチの略称であり、一般には、レトルト食品を封入している袋のことをいうが、本願においては、備蓄用飲料水（Ｗ）を充填したペットボトル（ＰＢ）（１００）を封入している袋のことをいう。
パウチ（Ｐ）は、一般的に食品側（ペットボトル（ＰＢ））にはポリプロピレン、ポリエチレン、外側にはポリエステル（ＰＥＴ）といった合成樹脂とアルミ箔を積層加工（ラミネート加工）したフィルムで出来ている。空気や水分、光を遮断し、内部の食品を密閉するための工夫である。
○ペットボトル（ＰＢ）とは、ポリエチレンテレフタレート樹脂から作られる瓶状の容器をいう。軽くて耐久性に優れることから，飲料用容器として多く用いられる。ペットボトル（ＰＢ）の容量は、２００〜２０００ｍｌである。
ペットボトル（ＰＢ）に充填された飲料水について、ヘッドスペースがあっても良いが、ヘッドスペースのない、即ち、ＰＥＴボトルへ飲料水を充填する際にオーバーフローキャッピングの方がＰＥＴボトル内に残存空気が無いので好ましい。
○アルミパウチ（Ｐ）とは、アルミ箔をサンドしているパウチ（Ｐ）をいう。
アルミパウチ（Ｐ）（袋）の材質は、例えばＮｙｌｏｎ１５／ＡＬ７〜９／ＰＥ３０〜８０μのような３層構成で、アルミ箔をサンドしているものであれば良い。アルミパウチの形態は三方袋でも、背貼袋でも、自立袋でも良い。                            
○三方袋とは、二枚のフィルムの底と側面の三方を張り合わせた袋をいう。二枚のフィルムをしっかりと接着するため、機密性に優れており、また製造過程において生産性に最も優れています。機密性の高さから、薬品や化粧品をはじめ、レトルト食品など様々な用途に用いられている。
○背貼袋とは、一枚のフィルムを背中合わせでシールして筒状にし、指定の長さで底部を溶着して切断した形状の袋をいう。
○自立袋とは、袋の底が立体的に確保されており、自立可能な袋をいう。ミートソースなど一部のレトルト食品や、詰め替え用シャンプーのパッケージなどでよく見られる。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、パウチ（Ｐ）で包装してなることを特徴とする備蓄用飲料水（Ｗ）を充填したペットボトル（ＰＢ）である。
○第２の考案（請求項２に記載の考案）
上記の課題を解決するための第２の考案（請求項２に記載の考案）は、前記アルミパウチ（Ｐ）は、アルミ箔をサンドしているものであって、アルミパウチ（Ｐ）の形態は三方袋、背貼袋、又は、自立袋であることを特徴とする請求項１に記載された備蓄用飲料水（Ｗ）を充填したペットボトル（ＰＢ）である。
○第３の考案（請求項３に記載の考案）
上記の課題を解決するための第３の考案（請求項３に記載の考案）は、ペットボトル（ＰＢ）の包装形態が、真空包装、窒素ガス置換包装、又は、窒素ガス置換ピロー包装であることを特徴とする請求項１〜２の何れかに記載された備蓄用飲料水（Ｗ）を充填したペットボトル（ＰＢ）である。
【考案の効果】
【０００７】
本考案に係る、備蓄用飲料水（Ｗ）を充填したペットボトルは、上記のような特徴的構成要件から構成され、特徴的構成要件に応じた、以下のような本願考案特有の効果を奏する。
また、上記の各考案に応じた、上記のような特徴的構成要件から構成された備蓄用飲料水（Ｗ）を充填したペットボトル（ＰＢ）によれば、本願考案の課題を十分解消することができた。
○第１の考案の効果
第１の考案によれば、パウチ（Ｐ）で包装してなることという特徴的な構成要件により、本考案が解決しようとする課題を達成することができ、当業者予測不可能な顕著な効果を奏することができた。
○第２の考案の効果
第２の考案によれば、前記アルミパウチ（Ｐ）は、アルミ箔をサンドしているものであって、アルミパウチ（Ｐ）の形態は三方袋、背貼袋、又は、自立袋であることという特徴的な構成要件により、本考案が解決しようとする課題を達成することができ、当業者予測不可能な顕著な効果を奏することができた。
○第３の考案の効果
第３の考案によれば、ペットボトル（ＰＢ）の包装形態が、真空包装、窒素ガス置換包装、又は、窒素ガス置換ピロー包装であることという特徴的な構成要件により、本考案が解決しようとする課題を達成することができ、当業者予測不可能な顕著な効果を奏することができた。
【考案を実施するための最良の形態】
【０００８】
以下、本考案に係る、備蓄用飲料水Ｗを充填したペットボトルＰＢに関する最良の実施形態について、図面を参照しながら説明する。
図１は、本発明に係る、備蓄用飲料水Ｗを充填したペットボトルＰＢの平面図を表したものである。
図２は、図１のＡ−Ａ矢視断面図を表したものである。
図３は、本備蓄用飲料水Ｗを充填したペットボトルＰＢをパウチＰ内に入れる状態図を表したものである。
図４は、本発明に係る、備蓄用飲料水Ｗを充填したペットボトルＰＢの斜視図（写真で撮った図）を表したものである。
以下、本考案に係る、備蓄用飲料水Ｗを充填したペットボトルＰＢについて、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の備蓄用飲料水Ｗを充填したペットボトルＰＢにおいて、パウチＰで包装してなることを特徴とする備蓄用飲料水Ｗを充填したペットボトルＰＢが開示されている。
ここにおいて、パウチＰの開口部から、備蓄用飲料水Ｗを充填したペットボトルＰＢをパウチＰ内に入れて、パウチＰの開口周辺部Ｐｏを熱融着にて密封する。
なお、パウチＰの４周部の点線は、パウチＰの開口周辺部Ｐ０、又は、パウチＰの３周部Ｐｃの境界を表している。パウチＰの開口部Ｐ０、又は、パウチＰの３周部Ｐｃは、最終的には張り合わされて密封される。
○第１の考案の効果
第１の考案によれば、パウチＰで包装してなることという特徴的な構成要件により、本考案が解決しようとする課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の備蓄用飲料水Ｗを充填したペットボトルＰＢにおいて、前記アルミパウチＰは、アルミ箔をサンドしているものであって、アルミパウチＰの形態は三方袋、背貼袋、又は、自立袋であることを特徴とする請求項１に記載された備蓄用飲料水Ｗを充填したペットボトルＰＢが開示されている。
図１では、アルミパウチＰの形態は三方袋の例を示しているが、これにのみ、限定されるものではない。
○第２の考案の効果
第２の考案によれば、前記アルミパウチＰは、アルミ箔をサンドしているものであって、アルミパウチＰの形態は三方袋、背貼袋、又は、自立袋であることという特徴的な構成要件により、本考案が解決しようとする課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の備蓄用飲料水Ｗを充填したペットボトルＰＢにおいて、ペットボトルＰＢの包装形態が、真空包装、窒素ガス置換包装、又は、窒素ガス置換ピロー包装であることを特徴とする請求項１〜２の何れかに記載された備蓄用飲料水Ｗを充填したペットボトルＰＢが開示されている。
、ペットボトルＰＢの包装形態が、真空包装、窒素ガス置換包装、又は、窒素ガス置換ピロー包装であることは、公知の技術を利用して実現することが可能である。
○第３の考案の効果
第３の考案によれば、ペットボトルＰＢの包装形態が、真空包装、窒素ガス置換包装、又は、窒素ガス置換ピロー包装であることという特徴的な構成要件により、本考案が解決しようとする課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
【図面の簡単な説明】
【０００９】
【図１】図１は、本発明に係る、備蓄用飲料水Ｗを充填したペットボトルＰＢの平面図を表したものである。
【図２】図１のＡ−Ａ矢視断面図を表したものである。
【図３】図３は、本備蓄用飲料水Ｗを充填したペットボトルＰＢをパウチＰ内に入れる状態図を表したものである。
【図４】図４は、本発明に係る、備蓄用飲料水Ｗを充填したペットボトルＰＢの斜視図（写真で撮った図）を表したものである。
【符号の説明】
【００１０】
Ｐ……パウチ
Ｗ……備蓄用飲料水
ＰＢ……ペットボトル
Ｐｃ……パウチＰの３周辺部を表す。
Ｐｏ……パウチＰの開口周辺部を表す。
【図１】
0003195810.tif 000003
【図２】
0003195810.tif 000004
【図３】
0003195810.tif 000005
【図４】
0003195810.tif 000006